(57)【要約】      （修正有）【課題】より容易かつ快適に使用でき筋肉痛を効果的に緩和できる四柱手持ち振動加熱マッサージャーを提供する。【解決手段】四柱手持ち振動加熱マッサージャーは、本体１、アウタースリーブ２及びムーブメント３を含み、本体は中心部から外へ放射状に設置される中空の多円柱体構造であり、アウタースリーブは本体を包囲するように本体の外周に設置され、アウタースリーブにはシリコーン材質を用い、ムーブメントは本体内に設置され、モーター３１、バッテリー３２、偏心ブロック３３、回路基板３４及びコントロールパネル３５を含み、モーター及び回路基板はバッテリーに接続され、偏心ブロックはモーターの出力軸に接続され、コントロールパネル及びモーターは回路基板に接続される。モーターを介して偏心ブロックの回転を連動し、偏心ブロックは回転して遠心力を生成し、さらに振動を発生させ、振れ機能を持たせる。【選択図】図１
0003227941.tif 000002
【実用新案登録請求の範囲】
【請求項１】
四柱手持ち振動加熱マッサージャーであって、本体、アウタースリーブ及びムーブメントを含み、前記本体は中心部から外へ放射状に設置される中空の多円柱体構造であり、前記アウタースリーブは本体を包囲するように本体の外周に設置され、アウタースリーブにはシリコーン材質を用い、前記ムーブメントは本体内に設置され、モーター、バッテリー、偏心ブロック、回路基板及びコントロールパネルを含み、モーター及び回路基板はバッテリーに接続され、偏心ブロックはモーターの出力軸に接続され、コントロールパネル及びモーターは回路基板に接続される
ことを特徴とする四柱手持ち振動加熱マッサージャー。
【請求項２】
本体の外面に設置され且つアウタースリーブの内面に位置し、前記回路基板に接続される加熱板をさらに含む
ことを特徴とする請求項１に記載の四柱手持ち振動加熱マッサージャー。
【請求項３】
前記加熱板には、前記回路基板に接続され、加熱板の温度を検出する温度センサーがさらに接続される
ことを特徴とする請求項２に記載の四柱手持ち振動加熱マッサージャー。
【請求項４】
前記本体が加熱板に対応する位置に凹状の取り付け溝が形成され、加熱板を取り付け溝に取り付けた後に、加熱板の頂面は本体の外面と同一平面上にある
ことを特徴とする請求項２または３に記載の四柱手持ち振動加熱マッサージャー。
【請求項５】
前記本体の外面とアウタースリーブの内面に互いに嵌合される凹溝及び凸状ブロックがさらに設けられる
ことを特徴とする請求項１乃至４のいずれか一項に記載の四柱手持ち振動加熱マッサージャー。
【請求項６】
前記アウタースリーブはセンタースリーブと複数のサイドスリーブとして設置され、アウタースリーブのセンタースリーブは本体の中心部位に対応し、各サイドスリーブは本体の複数の円柱体に対応する
ことを特徴とする請求項１乃至４のいずれか一項に記載の四柱手持ち振動加熱マッサージャー。
【請求項７】
前記アウタースリーブの外面に複数のマッサージ凸粒が分布される
ことを特徴とする請求項１乃至６のいずれか一項に記載の四柱手持ち振動加熱マッサージャー。
【請求項８】
前記本体は四角柱であり、上部ハウジング及び下部ハウジングによりスナップ嵌めするように一緒にロックされ、前記アウタースリーブは１つのセンタースリーブ及び４つのサイドスリーブを含み、センタースリーブが本体の中心部位に対応し、４つのサイドスリーブが本体の４つの主要部分に対応する
ことを特徴とする請求項１に記載の四柱手持ち振動加熱マッサージャー。
【請求項９】
前記コントロールパネルに１つのボタンが少なくとも設けられ、ボタンは本体の外に突き出ている
ことを特徴とする請求項１乃至８のいずれか一項に記載の四柱手持ち振動加熱マッサージャー。
【考案の詳細な説明】
【技術分野】
【０００１】
本実用新案はマッサージャーの技術分野に関し、特に四柱手持ち振動加熱マッサージャーに関する。
【背景技術】
【０００２】
急速な経済発展に伴い、人々の生活水準は持続的に向上していて、健康意識も徐々に高まり、より多くの人々はフィットネス運動を重視し始める。フィットネス運動を通じて人間の健康状況を効果的に改善することができ、体力を強化する。現在、フィットネススポーツが様々であり、より一般的なものはエアロビクス、ヨガ、ジョギング、水泳がある。フィットネス運動中に、フィットネス運動を支援するように、フィットネス機器を助ける必要がある場合が多い。
【０００３】
ヨガフィットネス運動中に、筋肉のストレッチと牽引運動を行い、及び運動後に体の様々な部位をマッサージするために、通常、ヨガボール、ヨガコラム、ヨガレンガなどの外部機器を支援して動作の完成を補助する必要がある。機器を手で持ち動作を行う必要がある時、従来のヨガ補助機器は、いずれも手持ちに不便であり、且つ機能が単一であり、ヨガの実践者は訓練時間が長いか強度がやや大きい場合、筋肉痛を引き起こし、これらの補助機器では、いずれも緩和することができない。
【考案の概要】
【考案が解決しようとする課題】
【０００４】
本実用新案は従来技術の欠点を克服するために、把持しやすく、実際の需要に応じて異なる部位をマッサージして、筋肉痛を緩和する四柱手持ち振動加熱マッサージャーを提供することを目的とする。
【課題を解決するための手段】
【０００５】
上記の目的を達成するために、本実用新案の技術的解決手段は、以下のとおりであり、
四柱手持ち振動加熱マッサージャーであって、本体、アウタースリーブ及びムーブメントを含み、前記本体は中心部から外へ放射状に設置される中空の多円柱体構造であり、前記アウタースリーブは本体を包囲するように本体の外周に設置され、アウタースリーブはシリコーン材質を用い、前記ムーブメントは本体内に設置され、モーター、バッテリー、偏心ブロック、回路基板及びコントロールパネルを含み、モーター及び回路基板はバッテリーに接続され、偏心ブロックはモーターの出力軸に接続され、コントロールパネル及びモーターは回路基板に接続される。
【０００６】
上記の手段を用いた後、本実用新案による手持ちマッサージャーはモーターを介して偏心ブロックの回転を連動し、偏心ブロックは回転して遠心力を生成し、さらに振動を発生させ、本実用新案に振れ機能を持たせる。従来の手持ちマッサージャーに比べ、本実用新案の本体は中心部から外へ放射状に設置される中空の多円柱体構造であり、使用時に、該マッサージャーの任意の部位を把持でき、本体の外周にシリコーン材質のアウタースリーブが覆設され、その把持手触りにより優れ、利用がより容易であり、快適さがより高い。振れ機能を有するため、本実用新案は、使用時に振れを発生することができ、運動効果がよりよく、且つ振れ機能によって、使用者の筋肉痛を効果的に緩和させることができる。
【０００７】
さらに、前記手持ちマッサージャーは、本体の外面に設置されてアウタースリーブの内面に位置し、前記回路基板に接続される加熱板をさらに含む。
【０００８】
上記の手段を用いた後、本実用新案は本体の外面とアウタースリーブとの間に加熱板を設置することにより、該手持ちマッサージャーに振れ機能を持たせる以外、加熱機能を持たせ、手持ちマッサージャーは加熱機能を用いる時、ホットパックの効き目を果たし、筋肉痛をさらに緩和することができる。
【０００９】
さらに、前記加熱板には、前記回路基板に接続され、加熱板の温度を検出する温度センサーがさらに接続される。
【００１０】
さらに、前記本体が加熱板に対応する位置に凹状の取り付け溝が形成され、加熱板を取り付け溝に取り付けた後に、加熱板の頂面は本体の外面と同一平面上にある。
【００１１】
さらに、アウタースリーブが本体に対する回転又は滑り落ちを防止するために、本体の外面とアウタースリーブの内面にさらに互いに嵌合される凹溝及び凸状ブロックが設けられる。
【００１２】
さらに、アウタースリーブを本体に套設することを容易にするために、前記アウタースリーブはセンタースリーブと複数のサイドスリーブとして設置され、まずアウタースリーブのセンタースリーブを本体の中心部位に套設し、各サイドスリーブは本体の複数の円柱体に対応する。
【００１３】
さらに、マッサージの手触りを向上させるために、前記アウタースリーブの外面に複数のマッサージ凸粒が分布される。
【００１４】
さらに、前記本体は四角柱であり、上部ハウジング及び下部ハウジングによりスナップ嵌めするように一緒にロックされ、前記アウタースリーブは１つのセンタースリーブ及び４つのサイドスリーブを含み、センタースリーブが本体の中心部位に対応し、４つのサイドスリーブが本体の４つの主要部分に対応する。
【００１５】
さらに、前記コントロールパネルに１つのボタンが少なくとも設けられ、ボタンは本体の外に突き出ている。
【図面の簡単な説明】
【００１６】
【図１】本実用新案の構造解析模式図である。
【考案を実施するための形態】
【００１７】
本実用新案の技術案をさらに説明するために、以下、具体的な実施例を通して本実用新案を詳細に述べる。
【００１８】
本実用新案の記述において、専門用語の「中心」、「縦方向」、「横方向」、「上」、「下」、「前」、「後」、「左」、「右」、「垂直」、「水平」、「頂」、「底」、「内」、「外」等の指示方位又は位置関係は添付図に基づいた方位又は位置関係であり、ただ本実用新案の記述の便宜と記述の簡略化を図るためのものであり、言われた装置又は部品が必ず特定の方位を備え、特定の方位で構造して及び操作することを指示又は暗示しないため、本実用新案を制限するものと理解されることができない。本実用新案の記述において、特に明記しない限り、「複数」は２つ又はそれ以上であることを意味する。
【００１９】
図１に示すように、本実用新案は四柱手持ち振動加熱マッサージャーを開示し、本体１、アウタースリーブ２及びムーブメント３を含む。
【００２０】
前記本体１は中心から外へ放射状に設置される中空の多円柱体構造であり、図１に示すように、本実施例において、該本体１は四角柱であり、上部ハウジング１１及び下部ハウジング１２によりスナップ嵌めするように一緒にロックされ、前記アウタースリーブ２は本体を包囲するように本体１の外周に設置される。
【００２１】
前記ムーブメント３は本体１内に設置され、ムーブメント３はモーター３１、バッテリー３２、偏心ブロック３３、回路基板３４、コントロールパネル３５、加熱板３６及び温度センサー３７を含み、前記モーター３１は本体１内に固定され、モーター３１の出力軸は前記偏心ブロック３３に接続され、モーター３１及び回路基板３４はバッテリー３２に接続され、温度センサー３７は回路基板３４及び加熱板３６に接続され、加熱板３６は本体１の外周に設置され、且つ回路基板３４に接続される。コントロールパネル３５は回路基板３４に接続され、且つコントロールパネル３５のボタンは本体の外に突き出し、使用者の制御に用いられ、コントロールパネル３５には図に示すようなシングルボタン構造を用いてもよく、マッサージャーのすべての動作を１つのボタンを介して実現させ、例えば一回押して電源をオンにし、弱い振動、中強度振動、高強度振動、振動及び加熱等になるよう順次にボタンを押し、具体的な稼働には様々な方法がある。コントロールパネル３５は、さらに振動機能、加熱機能及びスイッチに対して個別にボタンを設置して単独に制御してもよい。前記加熱板３６は本体１の外面に設置され、本体１が加熱板３６に対応する位置に凹状の取り付け溝が形成され、加熱板３６を取り付け溝に取り付けた後、加熱板３６の頂面は本体１の外面と同一平面上にある。本実用新案の手持ちマッサージャーのマッサージ効果をよりよくするために、該手持ちマッサージャーは本体１の各円柱体の外面にいずれも１つの加熱板３６が設置される。
【００２２】
ムーブメント３は作動する時、バッテリー３２によって給電され、モーター３１の回転を連動し、モーター３１に接続される偏心ブロック３３が回転して振動を発生させ、加熱ボタンをオンにした後、本実用新案の手持ちマッサージャーは加熱及び振動の機能を同時に持つことができ、マッサージとホットパックの効き目を果たし、必要な部位に対してマッサージ及びホットパックを行うことができ、筋肉痛を緩和する役割を立つ。
【００２３】
本実用新案の手持ちマッサージャーの把持手触り及びマッサージ触感を向上させるために、前記アウタースリーブ２の材質はシリコーンであり、且つ本体１の外周を完全に包囲する。ムーブメント３が装着された後、シリコーン材質の弾性を用い、アウタースリーブ２を本体１に締め付け、アウタースリーブ２が本体１に対する回転または滑り落ちを防止するために、本体１の外面とアウタースリーブ２との内面にさらに互いに嵌合される凹溝及び凸状ブロックが設けられ、凹溝及び凸状ブロックの設置には様々な方法があるが、例えば、本体１及びアウタースリーブ２にそれぞれ凹溝及び凸状ブロックを同時に設置したり、本体１に凹溝を設置し、アウタースリーブ２に凹溝に嵌合される凸状ブロックを設置したり、本体１に凸状ブロックを設置し、アウタースリーブ２に凸状ブロックに嵌合される凹溝を設置したりする。
【００２４】
さらに把持手触り及びマッサージ触感を向上させるために、前記アウタースリーブ２の外面に複数のマッサージ凸粒２１が分布され、マッサージ凸粒２１はマッサージの触感を高める以外、滑り止め機能を備える。本体１へのアウタースリーブ２の装着を容易にするために、前記アウタースリーブ２はセンタースリーブ２２と複数のサイドスリーブ２３として設置され、組み立てる時、まずアウタースリーブ２のセンタースリーブ２２を本体１の中心部位に套設し、各サイドスリーブ２３を本体１の複数の円柱体に対応させる。センタースリーブ２２及びサイドスリーブ２３には、本体１に嵌合される凸状ブロック及び凹溝をそれぞれ設置してもよく、凹溝及び凸状ブロックのリミット作用によってアウタースリーブ２の滑り落ちと回転を防止する。使用時、使用者は本実用新案のマッサージャーの任意の部位を手で持ち、コントロールパネルにおけるボタンを押し、バッテリー３２によって給電され、モーター３１の回転を連動し、偏心ブロック３３が回転して遠心力を生成し、振動機能を発生させ、加熱板３６は加熱機能を備え、それによりマッサージ及びホットパックの効き目を果たし、筋肉痛を緩和し、長時間又は過度の運動による筋肉痛を軽減できる。
【００２５】
上記の実施例と図面は本実用新案の製品形態と仕様を限定するものではなく、当業者の誰でも、行った適切な変化や修飾はすべて本実用新案登録請求の範囲を逸脱しないものと見なされるべきである。
【符号の説明】
【００２６】
１：本体
２：アウタースリーブ
３：ムーブメント
３１：モーター
３２：バッテリー
３３：偏心ブロック
３４：回路基板
３５：コントロールパネル
３６：加熱板
３７：温度センサー
【図１】
0003227941.tif 000003
【手続補正書】
【提出日】令和2年6月29日(2020.6.29)
【手続補正１】
【補正対象書類名】実用新案登録請求の範囲
【補正対象項目名】全文
【補正方法】変更
【補正の内容】
【実用新案登録請求の範囲】
【請求項１】
四柱手持ち振動加熱マッサージャーであって、本体、アウタースリーブ及びムーブメントを含み、前記本体は中心部から外へ放射状に設置される中空の複数の柱体を含む構造であり、前記アウタースリーブは本体を包囲するように本体の外周に設置され、アウタースリーブにはシリコーン材質を用い、前記ムーブメントは本体内に設置され、モーター、バッテリー、偏心ブロック、回路基板及びコントロールパネルを含み、モーター及び回路基板はバッテリーに接続され、偏心ブロックはモーターの出力軸に接続され、コントロールパネル及びモーターは回路基板に接続される
ことを特徴とする四柱手持ち振動加熱マッサージャー。
【請求項２】
本体の外面に設置され且つアウタースリーブの内面に位置し、前記回路基板に接続される加熱板をさらに含む
ことを特徴とする請求項１に記載の四柱手持ち振動加熱マッサージャー。
【請求項３】
前記加熱板には、前記回路基板に接続され、加熱板の温度を検出する温度センサーがさらに接続される
ことを特徴とする請求項２に記載の四柱手持ち振動加熱マッサージャー。
【請求項４】
前記本体が加熱板に対応する位置に凹状の取り付け溝が形成され、加熱板を取り付け溝に取り付けた後に、加熱板の頂面は本体の外面と同一平面上にある
ことを特徴とする請求項２または３に記載の四柱手持ち振動加熱マッサージャー。
【請求項５】
前記本体の外面とアウタースリーブの内面に互いに嵌合される凹溝及び凸状ブロックがさらに設けられる
ことを特徴とする請求項１乃至４のいずれか一項に記載の四柱手持ち振動加熱マッサージャー。
【請求項６】
前記アウタースリーブはセンタースリーブと複数のサイドスリーブとして設置され、アウタースリーブのセンタースリーブは本体の中心部位に対応し、各サイドスリーブは本体の複数の円柱体に対応する
ことを特徴とする請求項１乃至４のいずれか一項に記載の四柱手持ち振動加熱マッサージャー。
【請求項７】
前記アウタースリーブの外面に複数のマッサージ凸粒が分布される
ことを特徴とする請求項１乃至６のいずれか一項に記載の四柱手持ち振動加熱マッサージャー。
【請求項８】
前記本体は、上部ハウジング及び下部ハウジングによりスナップ嵌めするように一緒にロックされ、前記アウタースリーブは１つのセンタースリーブ及び４つのサイドスリーブを含み、センタースリーブが本体の中心部位に対応し、４つのサイドスリーブが本体の４つの主要部分に対応する
ことを特徴とする請求項１に記載の四柱手持ち振動加熱マッサージャー。
【請求項９】
前記コントロールパネルに１つのボタンが少なくとも設けられ、ボタンは本体の外に突き出ている
ことを特徴とする請求項１乃至８のいずれか一項に記載の四柱手持ち振動加熱マッサージャー。